(57)【要約】【課題】実装面積を十分確保できるアンテナ装置を提供すること。【解決手段】エレメント部１０１と、エレメント部１０１との間に一定の間隔のギャップ１０３を形成するように配置される接地部１０２と、エレメント部１０１の給電部１０１ｃに接続され、エレメント部１０１に給電するための通信ケーブル１０４とを備えている。そして、エレメント部１０１の上部エレメント１０１ａが、通信ケーブル１０４の側に向けて折り曲げられている。これにより、アンテナ装置を実装するための実装面積を確保することが可能である。【選択図】図１
2007318500.tif 000002
【特許請求の範囲】
【請求項１】
無線信号の送受信を行うためのエレメント部と、
上記エレメント部との間に一定のギャップを形成するように配置される接地部と、
上記接地部及び上記エレメント部に形成され、給電のための通信ケーブルが接続される給電部と、
を具備し、
上記エレメント部の一部が、上記通信ケーブルの側に向けて折り曲げられていることを特徴とするアンテナ装置。
【請求項２】
上記アンテナ装置が携帯型コンピュータの筐体内に設けられた表示部の周辺に実装される際に、上記エレメント部は前記表示部の端部と重ならず、また、上記ギャップが上記表示部の端部との間に所定の距離を有するように上記エレメント部が折り曲げられることを特徴とする請求項１に記載のアンテナ装置。
【請求項３】
上記ギャップは、上記給電部を頂点とし、上記接地部に向けて傾斜するように形成されることを特徴とする請求項１に記載のアンテナ装置。
【請求項４】
上記接地部は、上記給電部に近接する部位から上記給電部から離れる部位に向けて傾斜するように構成されることを特徴とする請求項１に記載のアンテナ装置。
【発明の詳細な説明】
【技術分野】
【０００１】
本発明は、アンテナ装置に関し、特に携帯型のパーソナルコンピュータに搭載されるアンテナ装置に関する。
【背景技術】
【０００２】
近年、無線ＬＡＮアンテナ等のアンテナ装置について種々の提案がなされている。例えば、特許文献１においては、四辺形状のエレメント部を構成する平板と接地部を構成する平板とを所定の間隔（ギャップ）を空けて配置し、これらエレメント部と接地部とに給電することでアンテナ装置を構成している。そして、アンテナ装置のギャップの間隔やエレメント部の各辺の長さを適宜設定することにより、低域側の共振周波数から高域側の共振周波数までにわたる全領域の広帯域化を実現するようにしている。
【特許文献１】特開２００６−３３０６９号公報
【発明の開示】
【発明が解決しようとする課題】
【０００３】
ところで、特許文献１に示されるようなアンテナ装置は、例えばノートブック型のパーソナルコンピュータ（ノートＰＣ）に設置される。近年、ノートＰＣには薄型化及び小型化が求められており、アンテナ装置等の回路の実装面積を確保することが困難になってきている。
【０００４】
本発明は、上記の事情に鑑みてなされたもので、実装面積を十分確保できるアンテナ装置を提供することを目的とする。
【課題を解決するための手段】
【０００５】
上記の目的を達成するために、本発明の第１の態様によるアンテナ装置は、無線信号の送受信を行うためのエレメント部と、上記エレメント部との間に一定のギャップを形成するように配置される接地部と、上記接地部及び上記エレメント部に形成され、給電のための通信ケーブルが接続される給電部とを具備し、上記エレメント部の一部が、上記通信ケーブルの側に向けて折り曲げられていることを特徴とする。
【発明の効果】
【０００６】
本発明によれば、実装面積を十分確保できるアンテナ装置を提供することができる。
【発明を実施するための最良の形態】
【０００７】
以下、図面を参照して本発明の実施形態を説明する。  
図１（ａ）は、本発明の一実施形態に係るアンテナ装置の構成を示す斜視図である。また、図１（ｂ）はアンテナ装置の側面図である。図１（ａ）に示すアンテナ装置は、エレメント部１０１と、接地部１０２とから構成されている。エレメント部１０１は、導電性材料から構成され、例えば図１（ａ）に示すような略台形状をしている。ここで、エレメント部１０１は、上部エレメント１０１ａと、下部エレメント１０１ｂと、低域エレメント１０１ｄとから構成されている。そして、下部エレメント１０１ｂの給電部１０１ｃには図１（ｂ）に示すようにして同軸ケーブルからなる通信ケーブル１０４の内部導体（芯線部分）が半田付け等の手法によって接続される。ここで、通信ケーブル１０４は、半田付けによる接続に限られるものではなく、給電部１０１ｃにコネクタ接続されるようなケーブルであっても良い。
【０００８】
また、図１（ａ）に示すように、上部エレメント１０１ａと低域エレメント１０１ｄとの間には、スリット１０１ｅが形成され、下部エレメント１０１ｂと低域エレメント１０１ｄとの間にはスリット１０１ｆが形成されている。
【０００９】
さらに、図１（ｂ）に示すように、エレメント部１０１の上部エレメント１０１ａは下部エレメント１０１ｂとの境界（図１（ａ）の一点鎖線で示す）にて、通信ケーブル１０４の側に向けて折り曲げられている。なお、折り曲げ位置は、上部エレメント１０１ａの高さがアンテナ装置を実装する筐体の厚み方向の長さよりも短くなるように設定される。
【００１０】
接地部１０２は、導電性材料から構成され、エレメント部１０１の下部エレメント１０１ｂとの間に一定の間隔を有するギャップ１０３を形成するように配置される。ここで、ギャップ１０３は、給電部１０１ｃを頂点として接地部１０２に向けて傾斜するような「へ」の字形に形成される。このために、エレメント部１０１の給電部１０１ｃの周辺には切り欠きが形成され、さらに、接地部１０２は、給電部１０２ａの周辺部位から傾斜する２つの斜辺を有する五角形状（ホームベース形状）をしている。そして、接地部１０２の給電部１０２ａには、通信ケーブル１０４の外部導体（外皮部分）が半田付けされる。
【００１１】
図１（ａ）及び図１（ｂ）に示す構成のアンテナ装置において、エレメント部１０１の形状（エレメント部１０１を構成する各辺の長さや角度等）やギャップ１０３の間隔を適宜設定することにより、所望のアンテナ特性を得ることが可能である。また、図１に示すアンテナは、上部エレメント１０１ａ及び下部エレメント１０１ｂと低域エレメント１０１ｄとでそれぞれ異なる周波数帯域の無線信号の送受信を行うことが可能である。なお、ギャップ１０３の間隔やエレメント部１０１の形状の決定手法については本実施形態の本質とは異なるのでここでは詳細な説明を省略する。
【００１２】
また、本実施形態においては、接地部１０２に図１（ａ）に示したような傾斜を持たせることにより、アンテナ特性を改善することが可能である。
【００１３】
図２（ａ）は本実施形態に係るアンテナ装置の実装例について示す図である。ここでは、アンテナ装置を携帯型のパーソナルコンピュータ（例えばノートＰＣ）に実装する例について説明する。図２（ａ）において、アンテナ装置は、ノートＰＣ本体に一体的に設けられた液晶表示部（ＬＣＤ）の筐体内に実装される。なお、アンテナ装置における通信モジュールはノートＰＣ本体筐体内に設けられるものである。
【００１４】
通常、ＬＣＤ筐体内は、その殆どが液晶表示パネル（ＬＣＤパネル）により占められているため、アンテナ装置の実装自由度が低い。これに対し、本実施形態においては、図２（ａ）に示すように、図１（ｂ）に示すように折り曲げたエレメント部１０１の上部エレメント１０１ａをＬＣＤ筐体３０１の内壁に当てつけるように固定する。そして、ギャップ１０３がＬＣＤパネル２０１の端部２０１ａから露出されるように、接地部１０２を、図２（ｂ）に示すようなＬＣＤパネル２０１とＬＣＤ筐体３０１とで形成される空間内に配置する。
【００１５】
このように、エレメント部１０１の一部を折り曲げておくことにより、実装自由度の低いＬＣＤ筐体３０１内でも十分なアンテナ装置の実装面積を確保することが可能である。また、実装の際、上部エレメント１０１ａの高さをＬＣＤ筐体３０１の厚さよりも短くしておくことにより、アンテナ装置を実装するためにＬＣＤ筐体３０１の厚さを増大させる必要がない。
【００１６】
また、図２（ａ）に示すようにしてギャップ１０３をＬＣＤパネル２０１の端部２０１ａから露出されるようにアンテナ装置を配置することにより、給電部１０１ｃをＬＣＤパネル２０１の端部２０１ａから離すことが可能である。これにより、例えば端部２０１ａが金属材料で構成されていても、エレメント部１０１における無線信号がＬＣＤパネル２０１で妨げられることもないので、良好なアンテナ特性を得ることができる。さらに、ギャップ１０３の形状を「へ」の字形とすることにより、接地部１０２の大部分をＬＣＤパネル２０１の裏面に配置しつつ、ギャップ１０３を露出させることが可能である。
【００１７】
以上実施形態に基づいて本発明を説明したが、本発明は上記した実施形態に限定されるものではなく、本発明の要旨の範囲内で種々の変形や応用が可能なことは勿論である。例えば、図１（ａ）、図１（ｂ）に示した例においては、エレメント部１０１の上部エレメント１０１ａを直角方向に折り曲げているが、所望のアンテナ特性を得られることができるのであれば、必ずしも直角に折り曲げる必要はない。
【００１８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００１９】
【図１】図１（ａ）は本発明の一実施形態に係るアンテナ装置の構成を示す斜視図であり、図１（ｂ）はアンテナ装置の側面図である。
【図２】図２（ａ）は本発明の一実施形態に係るアンテナ装置の実装例について示す図であり、図２（ｂ）はＬＣＤ筐体内にアンテナ装置を実装した場合の側面図である。
【符号の説明】
【００２０】
１０１…エレメント部、１０２…接地部、１０３…ギャップ、１０４…通信ケーブル、２０１…ＬＣＤパネル、３０１…ＬＣＤ筐体
【図１】
2007318500.tif 000003
【図２】
2007318500.tif 000004